(57)【要約】【課題】  簡単な構成により、熱源に光源を用いた定着手段における加熱効率を向上させ、消費電力の低減を図ることができる画像形成装置を提供することを目的とする。【解決手段】  未定着のトナー画像を担持する被記録用紙Ｐに、光源４１から光を照射して未定着のトナー画像を定着する定着手段４０を備えた画像形成装置において、光源４１を、当該光源４１から発せられた光が透過可能な回転体４３の内部に配設し、未定着のトナー画像に、回転体４３を透過した光を照射して定着する。【選択図】  図２
2006126355.tif 000002
【特許請求の範囲】
【請求項１】
未定着のトナー画像を担持する被記録用紙に、光源から光を照射して前記未定着のトナー画像を定着する定着手段を備えた画像形成装置において、
前記光源を、当該光源から発せられた光が透過可能な回転体の内部に配設し、前記未定着のトナー画像に、前記回転体を透過した光を照射して定着することを特徴とする画像形成装置。
【請求項２】
前記回転体に対向して前記被記録用紙をガイドする搬送ガイドを設け、前記回転体と、前記搬送ガイドとの間に、前記回転体と前記搬送ガイドとにより形成されるギャップを調整するギャップ調整手段を配設したことを特徴とする請求項１に記載の画像形成装置。
【請求項３】
前記回転体の外表面をクリーニングするクリーニング手段を有し、前記クリーニング手段は、前記光源からの定着のために照射される光の照射領域外で、かつ、前記回転体の外表面に接して配設したことを特徴とする請求項１または請求項２に記載の画像形成装置。
【請求項４】
前記光源を回転する回転手段を設け、前記回転体のクリーニング時に、前記回転手段により前記光源を、前記クリーニング手段側に回転し、前記回転体に前記光源からの光を照射しながら前記回転体をクリーニングすることを特徴とする請求項３に記載の画像形成装置。
【請求項５】
前記回転体のクリーニング時における前記光源からの照射エネルギーを、前記回転体に付着したトナーが半溶融状態となるような値に設定したことを特徴とする請求項４に記載の画像形成装置。
【請求項６】
前記クリーニング手段は、ローラの表面に不織繊維層を備えていることを特徴とする請求項３または請求項４に記載の画像形成装置。
【請求項７】
前記クリーニング手段は、不織繊維で形成された反物状のクリーニング布と、前記クリーニング布が巻かれた供給ローラと、前記クリーニング布を前記回転体の外表面に圧接する圧接ローラと、クリーニング後の前記クリーニング布を巻き取る巻取りローラとを備えていることを特徴とする請求項３または請求項４に記載の画像形成装置。
【請求項８】
前記光源と、前記回転体との間に、前記光源から照射される光を集光する集光レンズを設けたことを特徴とする請求項１乃至請求項４いずれかに記載の画像形成装置。
【発明の詳細な説明】
【技術分野】
【０００１】
本発明は、ファクシミリ装置、複写機などの被記録用紙にトナー画像を形成する画像形成装置に関し、特に熱源に光源を用いた定着手段において加熱効率を向上させ、消費電力の低減を図ることができるようにしたものである。
【背景技術】
【０００２】
一般的に、電子写真式の画像形成装置は、被記録用紙に転写されたトナー画像を定着させる定着手段を備え、熱可塑性樹脂を配合したトナーに光源からの光を照射して溶融し、該トナー画像を被記録用紙上に定着させるようにしている。
【０００３】
従来、この種定着手段を備えた画像形成装置としては、例えば、光源と、未定着のトナー画像を担持した被記録用紙との間に、加熱効率を図るために光源からの光を集光する集光レンズを設けて構成したものがある。
（例えば、特許文献１参照）。
【特許文献１】特開２００３−８０７４３号公報
【発明の開示】
【発明が解決しようとする課題】
【０００４】
しかし、上述の特許文献１記載の構成では、集光レンズによる集光効果は、期待できるが、集光レンズと、未定着のトナー画像を担持した被記録用紙との距離は、集光レンズに未定着のトナーが付着しないように、ある程度の距離を保つ必要があり、結果として、集光レンズによる集光効果が半減する。この結果、光源に供給するエネルギーは、定着性を確保するため、勢い高エネルギーを必要とする。また、集光レンズと、未定着のトナー画像を担持した被記録用紙との距離を短くすると、稼動中に集光レンズに未定着のトナーが付着し、充分に定着できないなどといった問題がる。
【０００５】
本発明は、上述した課題を解決するためになされたものであり、簡単な構成により、熱源に光源を用いた定着手段における加熱効率を向上させ、消費電力の低減を図ることができる画像形成装置を提供することを目的とする。
【課題を解決するための手段】
【０００６】
上記目的を達成するために、請求項１記載の発明では、未定着のトナー画像を担持する被記録用紙に、光源から光を照射して未定着のトナー画像を定着する定着手段を備えた画像形成装置において、光源を、当該光源から発せられた光が透過可能な回転体の内部に配設し、未定着のトナー画像に、回転体を透過した光を照射して定着する。
【０００７】
請求項２記載の発明では回転体に対向して被記録用紙をガイドする搬送ガイドを設け、回転体と、搬送ガイドとの間に、回転体と搬送ガイドとにより形成されるギャップを調整するギャップ調整手段を配設する。
【０００８】
請求項３記載の発明では、回転体の外表面をクリーニングするクリーニング手段を有し、クリーニング手段は、光源からの定着のために照射される光の照射領域外で、かつ、回転体の外表面に接して配設する。
【０００９】
請求項４記載の発明では、光源を回転する回転手段を設け、回転体のクリーニング時に、回転手段により光源を、クリーニング手段側に回転し、回転体に光源からの光を照射しながら回転体をクリーニングする。
【００１０】
請求項５記載の発明では、回転体のクリーニング時における光源からの照射エネルギーを、回転体に付着したトナーが半溶融状態となるような値に設定する。
【００１１】
請求項６記載の発明では、クリーニング手段は、ローラの表面に不織繊維層を備えている。
【００１２】
請求項７記載の発明では、クリーニング手段は、不織繊維で形成された反物状のクリーニング布と、クリーニング布が巻かれた供給ローラと、クリーニング布を回転体の外表面に圧接する圧接ローラと、クリーニング後のクリーニング布を巻き取る巻取りローラとを備えている。
【００１３】
請求項８記載の発明では、光源と、回転体との間に、光源から照射される光を集光する集光レンズを設ける。
【発明の効果】
【００１４】
請求項１記載の発明の構成によれば、光源を、当該光源から発せられた光が透過可能な回転体の内部に配設したので、光源に未定着のトナーが付着することがなくなり、光源を未定着のトナー画像を担持した被記録用紙に近づけることができる。この結果、未定着のトナー画像を効果的に定着することができるので、加熱効率を最大限に発揮でき、消費電力の低減を図ることができる。しかも、その構成は、光源を、当該光源から発せられた光が透過可能な回転体の内部に配設すれば良く、極めて簡単である。
【００１５】
請求項２記載の発明の構成によれば、回転体に対向して被記録用紙をガイドする搬送ガイドを設け、回転体と、搬送ガイドとの間に、回転体と搬送ガイドとにより形成されるギャップを調整するギャップ調整手段を配設しているので、回転体と、搬送ガイド上を搬送される被記録用紙との距離を適正な距離に保つことができる。従って、常に安定した状態で定着することができる。
【００１６】
請求項３記載の発明の構成によれば、クリーニング手段を、光源からの定着のための光の照射領域外で、かつ、回転体の外表面に接して配設しているので、回転体の外表面にトナーが付着しても、クリーニング手段により、簡単にクリーニングできる。従って、定期的にクリーニングすることにより、安定した定着効果を奏することができる。
【００１７】
請求項４記載の発明の構成によれば、光源を回転する回転手段を設け、回転体のクリーニング時には、回転手段により光源を、クリーニング手段側に回転し、回転体に光源からの光を照射しながら回転体をクリーニングしているので、回転体の外表面に付着したトナーは、溶融状態となり、クリーニング性が向上し、また、頑固な汚れも簡単に取除くことができる。
【００１８】
請求項５記載の発明の構成によれば、回転体のクリーニング時における光源からの照射エネルギーを、回転体に付着したトナーが半溶融状態となるような値に設定しているので、定着時の照射エネルギーに比べて低減でき、省エネルギー化を図りながら、回転体のクリーニング行うことができる。
【００１９】
請求項６記載の発明の構成によれば、クリーニング手段は、表面が不織繊維層で形成されたローラであり、その構成は極めて簡単である。また、一定期間使用後は、不織繊維層を表面に設けたローラを一体的に交換すればよいので、その取替え作業も極めて簡単であり、都合がよい。
【００２０】
請求項７記載の発明の構成によれば、クリーニング手段は、不織繊維で形成された反物状のクリーニング布と、クリーニング布が巻かれた供給ローラと、クリーニング布を回転体の外表面に圧接する圧接ローラと、クリーニング後のクリーニング布を巻き取る巻取りローラとを備えている。従って、長期間に亘ってクリーニングを行うことができるので、都合がよい。
【００２１】
請求項８記載の発明の構成によれば、光源と、回転体との間に、光源から照射される光を集光する集光レンズを設けているので、集光レンズに未定着のトナーが付着することはなく、集光レンズによる集光作用を充分に発揮し、定着効率を向上することができる。
【発明を実施するための最良の形態】
【００２２】
（第１実施形態）
以下に、本発明の具体的な実施形態について図面を参照しながら説明する。図１は、本発明の第１実施形態に係る画像形成装置としての複写機に適用した場合の概略構成を示す概略構成図である。
【００２３】
図１に示す画像形成装置である複写機１は、原稿を露光用光源で照射し、画像を読み取る画像読取手段１０を備えている。複写機１本体の下部には、給紙部２０が配設されている。この給紙部２０の図において上方には、画像形成手段３０が、また、この画像形成手段３０の図において左側に定着手段４０が配設されている。これら画像形成手
段３０および定着手段４０の上方には、光学系部材などからなる画像読取手段１０が配設されている。また、被記録用紙Ｐを給紙部２０から画像形成手段３０、定着手段４０を経て用紙排出に至る用紙搬送部５０が形成されている。
【００２４】
画像読取手段１０は、コンタクトガラス１１の下方から原稿の画像面に向けて光を照射する、例えば、ＬＥＤアレイや蛍光管ランプなどの露光用光源１２と、露光用光源１２からの光を効率良く原稿の画像面に与えるための反射板１３を備えている。また、原稿の画像面で反射された原稿反射光を反射させる第１ミラー１４、第２ミラー１５、第３ミラー１６と、第３ミラー１６からの反射光を導入して集光するレンズ群１７を備えている。更に、レンズ群１７で集光された原稿反射光を受光して電気信号（画像データ）に変換する、例えば、ＣＣＤなどの固体撮像部１８などを備えて構成されている。そして、この構成により原稿の画像情報を読み取り、読み取られた画像情報は、例えば、制御手段（不図示）の記憶部に記憶され、光走査ユニット３３に伝えられる。なお、図１において、原稿反射光の光路を一点鎖線で示す。
【００２５】
給紙部２０は、給紙カセット２１に積層載置された被記録用紙Ｐの束を１枚ずつ用紙搬送部５０に給紙するようになっている。用紙搬送部５０は、給紙部２０から給紙された被記録用紙Ｐを、搬送ローラ対２２およびレジストローラ対２３によって画像形成手段３０に向けて搬送し、さらに画像形成手段３０から定着手段４０において所定のトナー画像が形成され、定着された被記録用紙Ｐを排出ローラ対２４によって排出トレイ２５上に排出するようになっている。
【００２６】
画像形成手段３０は、電子写真プロセスによって被記録用紙Ｐに所定のトナー像を形成するものであり、回転可能に軸支された、例えば、ドラム状の感光体３１と、感光体３１の周囲にその回転方向に沿って、帯電ユニット３２、光走査ユニット３３、現像ユニット３４、転写ユニット３５、クリーナー３６および除電ユニット３７を備えている。帯電ユニット３２は、コロナ放電によって感光体３１の表面に所定電位を与えるものである。光走査ユニット３３は、画像読取手段１０によって読み取られた原稿の画像情報に応じて変調された光ビーム、例えば、レーザビームＢを感光体３１に照射する。これにより、感光体３１の表面の電位を選択的に減衰させて、この感光体３１の表面である被走査面上に静電潜像を形成する。現像ユニット３４は、上記静電潜像をトナーにより現像して、感光体３１の表面にトナー像を形成するものである。転写ユニット３５は、感光体３１の表面のトナー像を被記録用紙Ｐに転写するものである。クリーナー３６は、転写後の感光体３１の表面に残留しているトナーを除去するものであり、除電ユニット３７は、感光体３１の表面の残留電荷を除去するものである。
【００２７】
定着手段４０は、詳細は後述するが、前記画像形成手段３０の被記録用紙Ｐの搬送方向の下流側に配置され、画像形成手段３０においてトナー像が転写され、搬送ガイド４２の上を搬送されてくる被記録用紙Ｐに、光源４１から光を照射して未定着のトナーを溶融加熱し、被記録用紙Ｐ上にトナー像を定着させるものである。
【００２８】
制御手段（不図示）は、画像読取手段１０、給紙部２０、画像形成手段３０、定着手段４０、用紙搬送部５０、各種入力キースイッチなどとして機能する操作表示部（不図示）および複写機１全体の制御を司る。制御手段には、主演算機能を行う演算部および複写機１の動作制御用のプログラムなどが記憶されたＲＯＭや、各プログラムの作業領域などとして一時的にデータを保管および画像読取手段１０で得られた原稿の画像データを記憶するＲＡＭなどからなる記憶部が内蔵されたマイクロコンピュータなどにより構成されている。そして、制御手段は、操作表示部のスタートキーが押圧されると、複写動作を行わせる制御信号を給紙部２０、画像読取手段１０、画像形成手段３０、定着手段４０、用紙搬送部５０に出力してその動作を制御する。
【００２９】
この複写機１の基本的な作動状態を簡単に説明する。帯電ユニット３２により図１で時計方向に回転する感光体３１が一様に帯電され、画像読取手段１０で読み取られた画像情報に基づいて、例えば、レーザ走査装置などからなる光走査ユニット３３からのレーザビームＢにより感光体３１上に静電潜像が形成され、現像ユニット３４により静電潜像に現像剤が付着されてトナー像が形成される。
【００３０】
上記のようにしてトナー像が形成された感光体３１に向けて、給紙部２０から被記録用紙Ｐが画像形成手段３０に搬送される。このとき、被記録用紙Ｐは、レジストローラ対２３により、感光体３１に形成されたトナー像と同期を取りながら搬送される。その後、画像形成手段３０において転写ユニット３５により感光体３１の表面におけるトナー像が被記録用紙Ｐに転写される。そして、未定着トナー像を担持した被記録用紙Ｐは、定着手段４０に搬送され、搬送ガイド４２の上を移動しながら、光源４１から光が照射され、未定着のトナーが溶融加熱され、被記録用紙Ｐ上にトナー像が定着される。定着手段４０を通過した被記録用紙Ｐは、排出ローラ対２４によって排出トレイ２５上に排出される。
【００３１】
そして、転写ユニット３５による転写後に感光体３１は、クリーナー３６および除電ユニット３７で残留トナー、残留電荷を除去して、必要に応じて再び帯電ユニット３２で帯電される。
【００３２】
而して、本発明に従い定着手段４０の光源４１を、光源４１から発せられた光が透過可能な回転体４３の内部に配設する構成について、図２および図３に基づいて説明する。図２は、本実施形態に係る定着手段４０の概略構成の一例を示す概念図、図３は、図２を側面から見た側面断面概念図である。なお、図２および図３において、図１と同じ符号を付した部分は、略同一のものを示す。
【００３３】
本実施形態では、光源４１は、光源４１から発せられた光が透過可能な回転体４３の内部に配設されている。そして、光源４１を内部に配設した回転体４３は、光源４１から発せられた光が透過可能な、例えば、石英ガラスなどから形成され、図示しない支持軸により支持され、図示しない回転手段により回転可能に構成されている。そして、回転体４３と、被記録用紙Ｐが搬送される搬送ガイド４２との間には、回転体４３と搬送ガイド４２とにより形成されるギャップを調整するギャップ調整手段６が配設され、光源４１と、被記録用紙Ｐとの距離が、適正な距離に調整できるように構成されている。
【００３４】
ギャップ調整手段６は、例えば、搬送ガイド４２の被記録用紙Ｐの搬送方向（図２において矢印ｘで示す方向）に直交する方向の両端部近傍にコロ固定具６１を設け、このコロ固定具６１に、支持軸６２が上下に移動可能に設けられている。支持軸６２には、コロ６３が回転可能に軸支され、このコロ６３により回転体４３の搬送ガイド４２側の位置が規制されている。従って、この構成により、支持軸６２を上下に移動することにより、コロ６３も上下に移動し、回転体４３と、搬送ガイド４２とにより形成されるギャップｇの距離を調整することができる。
【００３５】
光源４１は、電源２に接続されている。電源２は、制御手段３により電源２のオン、オフおよび供給電力などが制御され、定着に適した光が光源４１から発せられている。また、光源４１には、光源４１からの光を効率よく被記録用紙Ｐに照射するための反射板４４が光源４１を覆うように配設されている。また、光源４１と、回転体４３との間には、光源４１からの光を集光する集光レンズ４５が設けられている。
【００３６】
また、光源４１からの定着のために照射される光の照射領域外で、かつ、回転体４３の外表面に接して、回転体４３の外表面をクリーニングするクリーニング手段７が配設されている。このクリーニング手段７は、表面が不織繊維層７１で形成されたローラ７２によって形成されている。不織繊維層７１としては、例えば、羊毛、レーヨン、ポリプロピレン、ポリアミド、アクリルニトリル、ポリエステル、ポリフェニレンサルファイド、芳香族アラミド、耐炎化繊維、ポリフッ化エチレンなどを用いることができ、７０〜８０℃以上の耐熱性を備えた材料であることが好ましい。
【００３７】
以上の構成による本実施形態によれば、光源４１を、光源４１から発せられた光が透過可能な回転体４３の内部に配設したので、光源４１に未定着のトナーｔが付着することがなくなる。このため、光源４１を未定着のトナー画像を担持した被記録用紙Ｐに近づけることができるので、加熱効率を最大限に発揮でき、消費電力の低減を図ることができる。しかも、その構成は、光源を、当該光源から発せられた光が透過可能な回転体４３の内部に配設すれば良く、極めて簡単である。
【００３８】
また、回転体４３に対向して被記録用紙Ｐをガイドする搬送ガイド４２を設け、回転体４３と、搬送ガイド４２との間に、回転体４３と搬送ガイド４２とにより形成されるギャップを調整するギャップ調整手段６を配設している。このため、回転体４３と、搬送ガイド４２上を搬送される被記録用紙Ｐとの距離を適正な距離に保つことができる。従って、常に安定した状態で定着することができる。
【００３９】
また、クリーニング手段７を、光源４１からの定着のための光の照射領域外で、かつ、回転体４３の外表面に接して配設しているので、回転体４３の外表面にトナーｔが付着しても、クリーニング手段７により、簡単にクリーニングできる。従って、定期的にクリーニングすることにより、安定した定着効果を奏することができる。
【００４０】
また、クリーニング手段７は、表面が不織繊維層７１で形成されたローラ７２であり、その構成は極めて簡単である。また、一定期間使用後は、不織繊維層７１を表面に設けたローラ７２を一体的に交換すればよいので、その取替え作業も極めて簡単であり、都合がよい。
【００４１】
更に、本実施形態によれば、光源４１と、回転体４３との間に、光源４１から照射される光を集光する集光レンズ４５を設けているので、集光レンズ４５に未定着のトナーｔが付着することはなく、集光レンズ４５による集光作用を充分に発揮し、定着効率を向上することができる。
【００４２】
（第２実施形態）
次に、本発明の第２実施形態について図４乃至図６を参照しながら説明する。図４は、本発明の第２実施形態に係る定着手段４０の概略構成の一例を示す概念図、図５は、図４を側面から見た側面断面概念図、図６は、回転体をクリーニングするために光源を回転した状態を示す概念図である。なお、図４乃至図６において、図１乃至図３と同じ符号を付した部分は、略同一のものを示す。
【００４３】
本実施形態では、光源４１を回転する回転手段８を有し、回転体４３をクリーニングするときに、回転手段８により光源４１を、クリーニング手段７側に回転し、回転体４３に光源４１からの光を照射しながら回転体４３をクリーニングするようにしたものである。
【００４４】
回転手段８は、駆動モータ８１と、駆動モータ８１の駆動軸に係合する駆動ギア８２と、駆動ギア８２の回転に伴って光源４１および反射板４４を一体的に回転する回転駆動軸８３から構成されている。そして、回転体４３のクリーニング時における光源４１からの照射エネルギーは、回転体４３に付着したトナーｔが半溶融状態となるような値、即ち、定着時よりも小さい照射エネルギーとなるように設定し、制御手段３により、光源４１へ供給する供給電力を制御するのが好ましい。
【００４５】
また、本実施形態では、未定着のトナー画像を担持した被記録用紙Ｐは、定着手段４０の挿入口近傍に設けられた挿入ガイド４６により、回転体４３と、搬送ローラ４７とにより形成されるニップ間に案内され、未定着のトナーｔは、光源４１からの光が照射され溶融加熱され、被記録用紙Ｐ上にトナー像が定着される。
【００４６】
以上の構成による本実施形態によれば、上述した第１実施形態と同様、光源４１を、光源４１から発せられた光が透過可能な回転体４３の内部に配設したので、光源４１に未定着のトナーｔが付着することがなくなり、光源４１を未定着のトナー画像を担持した被記録用紙Ｐに近づけることができ、未定着のトナー画像を効果的に定着することができる。この結果、簡単な構成により、加熱効率が向上し、消費電力の低減を図ることができる。
【００４７】
また、回転体４３のクリーニング時には、回転手段８により光源４１を、クリーニング手段７側に回転し、回転体４３に光源４１からの光を照射しながら回転体４３をクリーニングしているので、回転体４３の外表面に付着したトナーｔは、溶融状態となり、クリーニング性が向上し、また、頑固な汚れも簡単に取除くことができる。
【００４８】
また、回転体４３のクリーニング時における光源４１からの照射エネルギーは、回転体４３に付着したトナーが半溶融状態となるような値に設定しているので、定着時の照射エネルギーに比べて低減でき、省エネルギーを図りながら、回転体４３のクリーニングを行うことができる。
【００４９】
（第３実施形態）
次に、本発明の第３実施形態について図７を参照しながら説明する。図７は、本発明の第３実施形態に係る定着手段４０の概略構成の一例を示す概念図である。なお、図７において図１乃至図６と同じ符号を付した部分は略同一のものを示す。
【００５０】
本実施形態では、回転体４３をクリーニングするクリーニング手段７として、不織繊維で形成された反物状のクリーニング布を用いたものである。即ち、クリーニング手段７は、不織繊維で形成された反物状のクリーニング布７３と、クリーニング布７３が巻かれた供給ローラ７４と、クリーニング布７３を回転体４３の外表面に圧接する圧接ローラ７５と、クリーニング後のクリーニング布７３を巻き取る巻取りローラ７６とから構成されている。不織繊維としては、上述した第１実施形態で用いた不織繊維層７１と同じ材料を用いることができる。
【００５１】
そして、回転体４３のクリーニングは、クリーニング布７３が、圧接ローラ７５により回転体４３に圧接した状態で、回転体４３および／または巻取りローラ７６を回転しながら、回転体４３の外表面に付着したトナーなどを取除く。
【００５２】
以上の構成による本実施形態によれば、クリーニング手段７は、不織繊維で形成された反物状のクリーニング布７３と、クリーニング布７３が巻かれた供給ローラ７４と、クリーニング布７３を回転体の外表面に圧接する圧接ローラ７５と、クリーニング後のクリーニング布７３を巻き取る巻取りローラ７６とを備えている。このため、長期間に亘ってクリーニングを行うことができるので、都合がよい。
【００５３】
なお、上述した各実施形態は、本発明の好適な実施形態であるが、本発明はこれに限定されるものではなく、本発明の要旨を逸脱しない範囲において、種々変形実施可能である。
【００５４】
例えば、上述した実施形態では、複写機を例に挙げて説明したが、本発明は、例えば、プリンタ装置、ファクシミリ装置、そしてコピー機能、プリンタ機能、スキャナ機能およびファクシミリ機能などの各種機能を兼ね備えた複合機などに対しても適用可能である。
【００５５】
また、回転体４３のクリーニングは、上述したように定期的に実施するには、例えば、制御手段により複写枚数などを基準に定着量を把握できるように構成し、一定量の定着を行ったときに、定期的に回転体４３を回転および／またはクリーニング手段７を自動的に駆動して行うようにしても良い。
【００５６】
また、回転体４３のクリーニングは、定着の際に回転体４３が回転するようにし、この回転体４３の回転に同期してクリーニング手段７を駆動するようにしても良いのは、勿論である。このようにすれば、定着時の光源４１からの光により、回転体４３が適度に加熱されており、効果的に回転体４３の外表面に付着したトナーを除去することができるので、好ましい。
【００５７】
更に、第２実施形態によれば、定着時には、搬送ローラ４７を用いているので、搬送ローラ４７の回転に伴って、回転体４３もクリーニング手段７に接した状態で回転するように構成することがきる。このように構成すれば、定着時に常に回転体４３は、クリーニングされるので、都合が良い。
【産業上の利用可能性】
【００５８】
本発明の活用例としては、光源有する定着手段を備えた画像形成装置が挙げられる。
【図面の簡単な説明】
【００５９】
【図１】本発明の第１実施形態に係る画像形成装置としての複写機に適用した場合の概略構成を示す概略構成図である。
【図２】本実施形態に係る定着手段４０の概略構成の一例を示す概念図である。
【図３】図２を側面から見た側面断面概念図である。
【図４】本発明の第２実施形態に係る定着手段４０の概略構成の一例を示す概念図である。
【図５】図４を側面から見た側面断面概念図である。
【図６】回転体をクリーニングするために光源を回転した状態を示す概念図である。
【図７】図７は、本発明の第３実施形態に係る定着手段４０の概略構成の一例を示す概念図である。
【符号の説明】
【００６０】
１…複写機（画像形成装置）、６…ギャップ調整手段、７…クリーニング手段、８…回転手段、４０…定着手段、４１…光源、４２…搬送ガイド、４３…回転体、４５…集光レンズ、７１…不織繊維層、７２…ローラ、７３…クリーニング布、７４…供給ローラ、７５…圧接ローラ、７６…巻取りローラ、ｇ…ギャップ、Ｐ…被記録用紙、ｔ…トナー
【図１】
2006126355.tif 000003
【図２】
2006126355.tif 000004
【図３】
2006126355.tif 000005
【図４】
2006126355.tif 000006
【図５】
2006126355.tif 000007
【図６】
2006126355.tif 000008
【図７】
2006126355.tif 000009